(57)【特許請求の範囲】
【請求項１】
樹脂製のサポートレールと、
前記サポートレールと一体に成形され、貫通部を有するリブと、
前記リブの貫通部の位置と位置合わせがされた貫通孔を後端の部分に有するサポートアセンブリと、
前記リブの貫通部および前記リブの貫通孔の位置と合わせられた前記サポートアセンブリの後端の部分の貫通孔を貫通するシャフトと
を備えるピアノ鍵盤装置。
【請求項２】
前記サポートレールの上面に、ハンマシャンクフェルトが配置されている、請求項１のピアノ鍵盤装置。
【請求項３】
前記サポートアセンブリの後端部分の貫通孔の入口が面取りされた面取り面を有する、請求項１に記載のピアノ鍵盤装置。
【請求項４】
前記サポートアセンブリの後端の部分およびサポートレールのリブの少なくともいずれか一方の形状は、二股の形状を有し、
前記二股の形状の脚部により、前記リブまたは前記サポートアセンブリの後端の部分を挟むことができ、
二股の形状の少なくとも一方の脚部に前記貫通孔を有する、請求項１に記載のピアノ鍵盤装置。
【請求項５】
前記二股の形状の少なくとも一方の脚部が前記リブと対向する面に、段差が配置されている、請求項４に記載のピアノ鍵盤装置。
【請求項６】
前記シャフトは、複数のサポートアセンブリの後端部分の貫通孔を貫通する、請求項１に記載のピアノ鍵盤装置。
【請求項７】
前記シャフトの一端は、面取りされた形状、半球、または断面が、先端では前記サポートアセンブリの後端の部分の貫通孔の大きさより小さく先端から遠ざかるにつれて徐々に大きくなる形状を有する、請求項１に記載のピアノ鍵盤装置。
【請求項８】
前記シャフトは、側面にブッシュを有する、請求項１に記載のピアノ鍵盤装置。
【請求項９】
前記ブッシュは、熱可塑性エラストマーにより構成されている請求項８に記載のピアノ鍵盤装置。
【発明の詳細な説明】
【技術分野】
【０００１】
本願発明は、ピアノ鍵盤装置に関する。特に、本願発明は、複数のサポートアセンブリが接続されるサポートレールを有するピアノ鍵盤装置に関する。
【背景技術】
【０００２】
特許文献１の図１などに示されるピアノ鍵盤装置は、複数の部品が互いに作用し、押鍵および離鍵の動作がハンマに伝達される。特に、アクション機構の一部を構成するサポートアセンブリは、様々な部品が組み合わされて動作する。サポートアセンブリは、押鍵に応じてハンマによる打弦を実現する機構だけでなく、打弦直前に鍵の動作によるハンマへ伝達される力を開放するためのエスケープメント機構を有している。
【０００３】
従来のグランドピアノやアップライトピアノなどのアコースティックピアノは、複雑な構成を有するサポートアセンブリなど、多くの部品により構成されている。また、これら多くの部品を用いる組立て作業は複雑となり、時間がかかりアコースティックピアノの製造コストの上昇をもたらしている。例えば、サポートアセンブリそれぞれのサポートの後端に形成されている貫通孔を、個別に用意されるサポートフレンジのピン孔の位置に合わせ、センターピンを通す作業が必要となる。
【先行技術文献】
【特許文献】
【０００４】
【特許文献１】特開２００５−２９２３６１号公報
【発明の概要】
【発明が解決しようとする課題】
【０００５】
そこで、アコースティックピアノを含むピアノの製造に必要な時間およびコストおよびメンテナンスコストを低減することを目的の一つとする開示を行う。
【課題を解決するための手段】
【０００６】
本願発明の一実施形態によると、サポートレールと、リブと、サポートアセンブリと、シャフトとを備えるピアノ鍵盤装置が提供される。レールは、樹脂製である。リブは、サポートレールと一体に形成されており、また、貫通部を有する。サポートアセンブリの後部は、リブの貫通部と位置合わせがされた貫通孔を有する。シャフトは、リブの貫通部およびサポートアセンブリの後部の貫通孔を貫通する。
【発明の効果】
【０００７】
本願発明によれば、アコースティックピアノを含むピアノの製造に必要な時間およびコストを低減することができる。
【図面の簡単な説明】
【０００８】
【図１Ａ】本願発明の一実施形態に係るピアノ鍵盤装置の側面断面図
【図１Ｂ】本願発明の一実施形態に係るピアノ鍵盤装置のサポートアセンブリの構成図
【図２】本願発明の一実施形態に係るピアノ鍵盤装置の複数のサポートアセンブリの上面図
【図３】（Ａ）本願発明の一実施形態に係るピアノ鍵盤装置のサポートレールの側面図、（Ｂ）本願発明の一実施形態に係るピアノ鍵盤装置のサポートレールの上面図および（Ｃ）本願発明の一実施形態に係るピアノ鍵盤装置のサポートレールの斜視図
【図４】（Ａ）本願発明の一実施形態に係るピアノ鍵盤装置のサポートアセンブリの後端の斜視図、（Ｂ）本願発明の一実施形態に係るピアノ鍵盤装置のサポートアセンブリの後端の斜視図および（Ｃ）本願発明の一実施形態に係るピアノ鍵盤装置のサポートアセンブリの後端の斜視図
【図５】本願発明の一実施形態に係るピアノ鍵盤装置のシャフトの斜視図
【図６】本願発明の一実施形態に係るピアノ鍵盤装置のシャフトの断面の一例図
【発明を実施するための形態】
【０００９】
以下に、本願発明の実施形態を説明する。なお、本願発明は、以下に説明する実施形態に限定されることはない。本願発明は、以下に説明する実施形態を種々に変形して実施することができる。また、図面においては、左右上下の縮尺が本願発明を実際に実施する場合と異なる場合がある。
【００１０】
図１Ａは、本願発明の一実施形態に係るピアノ鍵盤装置の側面断面図である。ピアノ鍵盤装置１は、複数の鍵１１０（例えば８８鍵）、鍵１１０の各々に対応したアクション機構を備える。アクション機構は、サポートアセンブリ２０、ハンマシャンク３１０、ハンマ３２０およびハンマストッパ４１０を備える。なお、図１Ａでは、鍵１１０が白鍵である場合を示しているが、黒鍵であっても同様の構造となる。また、以下の説明において、鍵を操作する演奏者に対して、前後左右が定義される。すなわち、図１Ａの紙面に対して垂直な方向が演奏者に対する左右の方向であり、図１Ａの紙面に対して左の方向が演奏者に対する後の方向となり、図１Ａの紙面に対して右の方向が演奏者に対する前の方向となる。
【００１１】
鍵１１０は、バランスレール９１０によって回動可能に支持されている。鍵１１０は、レスト位置からエンド位置までの範囲で回動する。鍵１１０は、キャプスタンスクリュー１２０を備えている。サポートアセンブリ２０の後端は、後述するように、サポートレール９２０のリブに回動可能に接続される。また、サポートアセンブリ２０のサポートヒール（２１２）は、キャプスタンスクリュー１２０上に載置されている。
【００１２】
ハンマシャンク３１０は、シャンクフレンジ３９０に回動可能に接続されている。ハンマシャンク３１０は、ハンマローラ３１５を備えている。ハンマシャンク３１０は、ハンマローラ３１５を介して、サポートアセンブリ２０上に載置されている。シャンクフレンジ３９０は、シャンクレール９３０に固定されている。ハンマ３２０は、ハンマシャンク３１０の後端部に接続されている。ハンマストッパ４１０は、ハンマストッパレール９４０に固定されて、ハンマシャンク３１０の回動を規制する位置に配置されている。なお、ハンマストッパ４１０およびハンマストッパレール９４０の代わりに、弦を配置し、ハンマ３２０による打弦が可能となっていてもよい。これにより、本願発明の一実施形態に係るピアノ鍵盤装置をアコースティックピアノに使用することができる。
【００１３】
また、センサ５１０を配置することもできる。図１Ａにおいては、センサ５１０は、センサレール９５０に固定されている。センサ５１０は、ハンマシャンク３１０の位置および移動速度（特に、ハンマシャンク３１０がハンマストッパ４１０に衝突する直前の速度）を測定することができる。センサ５１０としては、フォトインタラプタを用いることができる。ハンマシャンク３１０に固定された遮蔽板５２０がフォトインタラプタの光軸を遮蔽する量に応じて、センサ５１０からの出力値が変化する。この出力値に基づいて、ハンマシャンク３１０の位置および移動速度を測定することができる。なお、センサ５１０に代えて、またはセンサ５１０と共に、鍵１１０の操作状態を測定するためのセンサを設けることもできる。このようなセンサを用いることにより、本願発明の一実施形態に係るピアノ鍵盤装置を電子ピアノに用いることができる。
【００１４】
上述したサポートレール９２０、シャンクレール９３０、ハンマストッパレール９４０および必要であればセンサレール９５０は、ブラケット９００により支持されている。
【００１５】
次に、図１Ｂを参照し、本願発明の一実施形態に係るピアノ鍵盤装置に用いられるサポートアセンブリ２０の構造について説明する。サポートアセンブリ２０は、サポートヒール２１２を有するサポート２１０、サポート２１０と可撓部２２０を介して接続されるレペティションレバー２４０、サポート２１０の前方に位置するジャック支持部２１０５により支持されるジャック２５０、レペティションレバー２４０およびジャック２５０を付勢するねじりコイルスプリング２８００を主要な構成として有する。ねじりコイルスプリング２８０および２つの部材が衝突する部分に設けられるゴム材などの弾性体の材料以外の構造は、射出成型などによって製造される樹脂製の構造とすることができる。樹脂としては、例えばポリアセタール（ＰＯＭ）を使用することができる。図１Ｂに示す例では、サポート２１０とレペティションレバー２４０は一体形成されている。なお、サポート２１０とレペティションレバー２４０を別個の部品として成形し、それらを接着または接合してもよい。
【００１６】
サポート２１０は、後端に貫通孔２１０９が形成されている。貫通孔２１０９は、後述のように、サポートレール９２０と一体に形成されたリブの貫通部（例えば、孔の形状を有する貫通孔）と位置合わせがされ、シャフトが通される。これにより、サポートアセンブリ２０をサポートレール９２０に対して回動可能に接続することができる。このように、サポートレール９２０とリブとを一体形成することにより、製造に必要なコストを低減することができる。
【００１７】
サポートレール９２０は、図１Ａにおいては、断面形状がＬ字の形状を有している。また、サポートレール９２０の起立している部分にサポート２１０の後端が接続され、その部分より上方の上面にハンマシャンクフェルト１５が配置されている。言い換えると、サポートレール９２０の上方側にハンマシャンクフェルト１５が直接配置されている。図１Ａにおいては、ハンマシャンクフェルト１５の上にハンマシャンク３１０の後端の部分が位置している。これにより、サポートレール９２０にハンマシャンク３１０が衝突して異音を発生することを防止することができる。また、サポートレール９２０は、左右方向に延びた形状となっているので、一つのハンマシャンクフェルト１５の配置により、複数本のハンマシャンク３１０に対応するハンマシャンクフェルトを配置することができる。したがって、ハンマシャンクフェルトの配置に必要な部品および作業の工数を低減することができる。
【００１８】
図１Ｂを参照する説明に戻る。サポート２１０は、貫通孔２１０９とジャック支持部２１０５との間に、上方に突出するスプリング支持部２１８を備える。サポートヒール２１２の下面は、上述したようにキャプスタンスクリュー１２０に載置され、キャプスタンスクリュー１２０と接触する。スプリング支持部２１８は、ねじりコイルスプリング２８０を支持する。ジャック支持部２１０５は、ジャック２５０を回動可能に支持する。また、サポート２１０の前端には、ストッパ２１６が接触している。ストッパ２１６は、レペティションレバー２４０から延びる延設部２４４に接続されている。
【００１９】
レペティションレバー２４０は、スプリング接触部２４２を有する。スプリング接触部２４２は、ねじりコイルスプリング２８０の第１アーム２８０２と接触する。レペティションレバー２４０および延設部２４４は、ジャック２５０の両側面を挟む２枚の板状の部分を有する。したがって、この一例では、２枚の板状の部分によって挟まれた空間の少なくとも一部において、延設部２４４の板状の部分の間にジャック２５０が位置する。また、スプリング接触部２４２および延設部２４４はレペティションレバー２４０からサポート２１０側へ延びている。
【００２０】
延設部２４４は、内側部２４４１、外側部２４４２、結合部２４４３およびストッパ接触部２４４４を有している。内側部２４４１は、レペティションレバー２４０においてジャック大２５０２よりも後方に接続されている。図１Ｂにおいては、内側部２４４１とレペティションレバー２４０とが接続されている部分には、サポートアセンブリのリブ２４６が設けられている。内側部２４４１は、ジャック大２５０２を挟み込んで交差し、ジャック大２５０２よりも前方まで延在している。つまり、延設部２４４はジャック２５０と交差しているということもできる。
【００２１】
外側部２４４２は、レペティションレバー２４０から、ジャック２５０よりも前方に延びている。内側部２４４１と外側部２４４２とは、結合部２４４３において接続している。結合部２４４３は、ジャック小２５０４を挟み込んでいる。ストッパ接触部２４４４は、結合部２４４３に接続しており、ストッパ２１６に対してストッパ２１６の下方から接触する。これにより、ストッパ２１６は、レペティションレバー２４０とサポート２１０とが広がる方向（上方）へのレペティションレバー２４０の回動範囲を規制する。言い換えると、延設部２４４は、レペティションレバー２４０の回動中心からジャック２５０側においてレペティションレバー２４０に接触され、ストッパ２１６に対してストッパ２１６下方から接触する。ここで、ストッパ２１６はジャック２５０の回動中心よりも下方において、サポート２１０に接続されている。
【００２２】
ジャック２５０は、ジャック大２５０２、ジャック小２５０４および突出部２５６を有する。ジャック大２５０２とジャック小２５０４との間において、ジャック支持部２１０５に回動可能に支持されるための接続部が形成されている。この接続部は、ジャック支持部２１０５の一部を囲む形状であり、ジャック２５０を回動可能とし、また、その回動範囲を規制する。サポート接続部２５０５の形状とその素材の弾性変形により、ジャック２５０は、ジャック支持部２１０５の上方から嵌めることができる。突出部２５６は、ジャック大２５０２からジャック小２５０４とは反対側に突出し、ジャック２５０と共に回動する。突出部２５６は、その側面にスプリング接触部２５６２を有する。スプリング接触部２５６２は、ねじりコイルスプリング２８０の第２アームと接触する。
【００２３】
ねじりコイルスプリング２８０は、スプリング支持部２１８を支点とし、第１アーム２８０２がスプリング接触部２４２と接触し、第２アーム２８０４がスプリング接触部２５６２と接触する。第１アーム２８０２は、レペティションレバー２４０の演奏者側を上方（サポート２１０から離れる方向）に移動するように、スプリング接触部２４２を介してレペティションレバー２４０に回動力を付与する（付勢する）弾性体として機能する。第２アーム２８０４は、突出部２５６が下方（サポート２１０に近づく方向）に移動するように、スプリング接触部２５６２を介してジャック２５０に可動力を付与する（付勢する）弾性体として機能する。
【００２４】
上述のように、貫通孔２１０９は、サポートレール９２０と一体に形成されたリブの貫通部と位置合わせがされ、シャフトが通され、サポートレール９２０に対して回動可能にサポートレール９２０と接続する。このため、鍵１１０の前端が押鍵され、鍵１１０が時計周りの方向に回転すると、鍵１１０のキャプスタンスクリュー１２０によりサポートヒール２１２が上方に持ち上げられ、サポート２１０は、貫通孔２１０９を回転中心として反時計周りに回転する。
【００２５】
サポート２１０が、貫通孔２１０９を回転中心として反時計回りに回転すると、ねじりコイルスプリング２８０により付勢されているレペティションレバー２４０およびジャック２５０が、上方に持ち上げられる。これにより、ジャック大２５０２が、ハンマローラ３１５を上方に持ち上げる。ハンマローラ３１５が持ち上げられると、ハンマシャンク３１０は、シャンクフレンジ３９０を中心として時計周りに回転する。このため、ハンマシャンク３１０の後端は、サポートレール９２０の上面（あるいは上端面）に配置されているハンマシャンクフェルト１５から離れるとともに、ハンマシャンク３１０の後端に位置するハンマ３２０が上方に移動する。
【００２６】
サポート２１０が、貫通孔２１０９を回転中心として反時計回り方向の回転を継続すると、ジャック小２５０４が、ブラケット９００に固定されているレギュレーティングボタン３６０に接触する。その後は、ジャック２５０は、ジャック支持部２１０５を中心に時計回りの方向の回転を開始する。これにより、ジャック大２５０２の先端とハンマローラ３１５との接触がなくなり、ハンマ３２０の位置が最も高くなった後に、ハンマシャンク３１０は、前端を中心に反時計回りの方向に回転をし、ハンマローラ３１５がレペティションレバー２４０またはジャック大２５０２の先端の上に載ったり、ハンマシャンク３１０の後端が、ハンマシャンクフェルト１５に接触したりする。
【００２７】
図２は、本願発明の一実施形態に係るピアノ鍵盤装置１の複数のサポートアセンブリ２０の上面図である。図２において複数のサポートアセンブリ２０が演奏者から見て左右方向に平行に配置される。また、ブラケット９００がサポートアセンブリ２０の間に配置される。
【００２８】
図２において、サポートアセンブリ２０のサポート２１０の後端には、二股の形状の脚部４ａ、４ｂが形成されている。また、サポートレール９２０に、複数のリブ３ａ、３ｂが形成されている。図１Ａに示すサポートレール９２０の断面形状と図２に示すサポートレール９２０の上面形状とを考慮すると、サポートレール９２０の後方には上方に起立している部分があり、その起立している部分の前面に、複数のリブ３ａ、３ｂが形成されている。また、サポートレール９２０の起立している部分の前面と、複数のリブ３ａ、３ｂの左右面とは略垂直となっている。このため、サポートレール９２０が樹脂で形成されている場合には、複数のリブ３ａ、３ｂも樹脂で形成することができる。また、サポートレール９２０と複数のリブ３ａ、３ｂとを一体に成形することができる。これにより、複数のリブ３ａ、３ｂがサポートレール９２０から分離しにくくなり、ピアノ鍵盤装置１の破損を防止できる。
【００２９】
図２においては、２つのリブ３ａ、３ｂが二股の形状の脚部４ａ、４ｂに挟まれている。言い換えると、二股の形状の脚部４ａ、４ｂの間に２つのリブ３ａ、３ｂが配置されている。これにより、二股の形状の脚部４ａ、４ｂの間の距離を大きくし、サポートアセンブリ２０が左右方向に揺れるのを防止できる。したがって、演奏者の演奏性を高めることができる。なお、本願発明は、これに限定されることはなく、二股の形状の脚部４ａ、４ｂの間に一つのリブが配置されていてもよい。図２に示すように、２つのリブ３ａ、３ｂを二股の形状の脚部４ａ、４ｂの間に配置する理由の一つは、リブ３ａとリブ３ｂとの間に空間を設けることにより、リブ３ａとリブ３ｂとにより、二股の形状が形成される。このように、二股の形状を形成することにより、リブを形成するのに必要な樹脂の量を減少させることである。
【００３０】
なお、本実施形態においては、サポートアセンブリ２０のサポート２１０の後端の形状と、サポートレール９２０のリブの対の形状と、の両方が二股の形状となっている。本発明のいくつかの実施形態においては、サポートアセンブリ２０のサポート２１０の後端の形状と、サポートレール９２０のリブの対の形状と、の両方が二股の形状となっている必要はない。例えば、サポートレール９２０のリブの対が二股の形状となっており、サポートアセンブリ２０のサポート２１０の後端を挟むようにすることができる。あるいは、サポートアセンブリ２０のサポート２１０の後端の形状が二股となっており、サポートレール９２０の少なくとも１つのリブを挟むようにすることができる。
【００３１】
図２に示すように、リブ３ａ、３ｂの貫通部の位置と、二股の形状の脚部４ａ、４ｂの貫通孔２１０９の位置が合わせられ、例えば符号２００に示す向き（逆の向きであってもよい）にシャフト２１を貫通させることができる。したがって、複数のサポートアセンブリ２０を１本のシャフト２１により、サポートレール９２０に回動可能に接続することができる。したがって、複数のサポートアセンブリをサポートレール９２０に接続する作業が容易となる。なお、１本のシャフトによりサポートレール９２０に回動可能に接続する複数のサポートアセンブリ２０の数は任意である。例えば、１オクターブ分の鍵に対応する複数のサポートアセンブリ２０を１本のシャフトによりサポートレール９２０に回動可能に接続することができる。これにより、オクターブ単位に製造を行うことができる。
【００３２】
なお、必須の構成ではないが、図１Ｂに戻ると、貫通孔２１０９の入口の周囲に面取り面２１０９ａが形成されていてもよい。言い換えると、貫通孔２１０９の内面と、サポート２１０の面取り面の周囲の表面部分と、は略垂直の位置関係となっており、貫通孔２１０９の入口の周囲に、貫通孔２１０９の内面およびサポート２１０の面取り面の周囲の表面部分と斜めの面が形成され、面取り面２１０９ａが形成されている。言い換えると、面取り面２１０９ａと貫通孔２１０９の内面により、漏斗状の形状が形成され、漏斗の口径の小さい孔に接続された管の外面または内面が貫通孔２１０９の内面に対応し、漏斗の口径の大きな開口と口径の小さい孔とを接続する面の外面または内面が面取り面２１０９ａに対応している。このような面取り面２１０９ａを形成することにより、シャフト２１を貫通孔２１０９に貫通させやすくなる。
【００３３】
なお、図２に示すように、レペティションレバー２４０の前方の外側部２４４２には、ジャック案内孔が形成され、図１Ａを考慮すると、ジャック大２５０２の先端がジャック案内孔から露出可能となっている。また、外側部２４４２から延びる結合部２４４３も二股の形状を有し、ジャック小２５０４が二股の形状の間に配置されている。これにより、ジャック小２５０４が、レギュレーティングボタン３６０と接触が可能となっている。
【００３４】
図３（Ａ）は、サポートレール９２０の側面図である。図３（Ｂ）は、サポートレール９２０の上面図である。図３（Ｃ）は、サポートレール９２０の斜視図である。
【００３５】
サポートレール９２０の起立している部分３−２の前面およびサポート２１０の後端部分の下に位置する部分３−１の上面にかけてリブ３ａが配置されている。図３（Ａ）などに示すように、リブ３ａは、サポートレール９２０の部分３−２の前面およびサポート２１０の後端部分の下に位置する部分３−１の上面に接続する部分３ｅおよび３ｃを有していてもよい。これにより、サポートレール９２０とリブ３ａとの接続強度を上げることができる。また、サポートレール９２０自体の強度を上げることができる。図３（Ａ）に示されるように、リブ３ａには、貫通部３ｄが形成されている。上述のように貫通部３ｄは、二股の形状の脚部４ａ、４ｂに形成される貫通孔２１０９と位置合わせがされ、シャフト２１により貫通される。
【００３６】
なお、図３（Ａ）、図３（Ｃ）などにおいて、貫通部３ｄは、孔の形状を有する貫通孔として示されている。ただし、本発明の各実施形態は、貫通部は、貫通孔である必要はない。例えば、貫通部の形状は、一部が開放された凹形状となっていてもよい。言い換えると、貫通部の形状は、貫通孔の孔を取り囲む部分の一部が削除され、側面からみた場合、Ｕ字型の形状、Ｃ字形状およびそれらの形状の組み合わせた形状とすることができる。ここにＵ字形の形状とは、円弧状の曲線と円弧状の曲線の両端に接続される直線状とを有する形状であり、Ｃ字形の形状とは、円や楕円などの閉曲線の一部を取り去った形状である。そして、円弧状の曲線の部分および、閉曲線の部分にシャフト２１が位置し、貫通部が貫通孔である場合と同様に、シャフト２１を受容する。言い換えると、貫通部の凹形状により、シャフト２１が受容される。
【００３７】
また、図３（Ｂ）および図３（Ｃ）に示すように、複数個のリブ３ａ、３ｂが、サポートレール９２０に一体として形成されている。互いに隣接するリブ３ａ、３ｂが一つの組となり、図２に示すようにサポート２１０の後端の二股の形状の脚部４ａ、４ｂにより挟まれる。
【００３８】
図４（Ａ）は、サポート２１０の後端の二股の形状の脚部４ａ、４ｂをサポート２１０の斜め下方から眺めた斜視図である。図４（Ａ）に示すように、二股の形状の脚部４ａ、４ｂそれぞれに、貫通孔２１０９が形成され、シャフト２１により貫通が可能である。また、サポート２１０の後端の二股の形状の脚部４ａには、必須ではないが、上述のように面取り面２１０９ａが形成されている。
【００３９】
図４（Ｂ）は、別の実施形態におけるサポート２１０の後端の二股の形状の脚部４ａ、４ｂを斜め下方から眺めた斜視図である。図４（Ｂ）に示すように、サポート２１０の後端の二股の形状の脚部４ｂがリブ３ｂに対向する面に、段差（または凸部）４０が形成されている。この段差４０において、リブ３ｂに対向する面の面積が、二股の形状の脚部４ｂがリブ３ｂに対向する面の面積よりも小さい。このため段差４０がリブ３ｂに接触しても、段差４０とリブ３ｂとの間の摩擦力を、段差４０が無い場合の摩擦力よりも、小さくすることができる。これにより、スムーズなサポートアセンブリ２０の回転が可能となり、演奏性を向上させることができる。このような段差は、二股の形状の脚部４ａのリブ３ａに対向する面にも形成することもできる。
【００４０】
図４（Ｃ）は、更に別の実施形態におけるサポート４の後端の二股の形状の脚部４ａ、４ｂを斜め下方から眺めた斜視図である。図４（Ｃ）に示すように、二股の形状の一方の脚部４ｂは、貫通孔の内面の一部を含む部分４１が切り取られている。これにより、二股の形状の脚部４ｂとリブ３ｂとの間の摩擦力をより小さくすることができる。図４（Ｃ）とは逆に、二股の形状の脚部４ａの貫通孔の内面の一部を含む部分が切り取られていてもよい。
【００４１】
また、図４（Ｂ）および図４（Ｃ）に一例が示されている形態を組み合わせ、切り取られている部分４１以外の位置に段差４０を設けてもよい。
【００４２】
図５は、シャフト２１の斜視図である。図５に示すように、シャフト２１は、シャフト本体５１とブッシュ５２とを有する。シャフト本体５１は、例えば、金属で形成したり、あるいは、樹脂により形成したりすることができる。ブッシュ５２は、図５では、シャフト２１の側面の全体を覆っている。ただし、本発明はこれに限定されることはなく、リブ３ａ、３ｂそれぞれの貫通部３ｄおよびサポート２１０の貫通孔２１０９にシャフト２１を貫通させた場合の、各貫通部および各貫通孔の位置に配置されていればよい。ブッシュ５２の材料としては、フェルトなどを用いることもできる。また、樹脂を用いることもできる。樹脂を用いる場合には、熱可塑性エラストマーを用いるのが好ましい。樹脂を用いてブッシュを形成することにより、湿度の変化によるブッシュの膨張などを防止することができ、湿度が変化してもピアノの演奏性を同様に維持できる。また、ピアノ鍵盤装置のメンテナンスのコストを低減することができる。
【００４３】
また、図５においては、シャフト２１の先端は、シャフト２１の軸と垂直な平面となっている。本発明はこれに限定されることはない。例えば、図６にシャフトの断面の一例を示すように、シャフト２１の先端に面取り面６０１が形成され、面取りされた形状を有していてもよい。これにより、シャフト２１を貫通部および貫通孔を貫通させる際のガイド性を高めることができる。また、シャフト２１の先端に面取り面６０１を形成する代わりに、シャフト２１の先端を半球状の形状を有するようにしたり、先端がサポートアセンブリの後端の部分の貫通孔の大きさより小さく先端から遠ざかるにつれて徐々に大きくなる形状を有するようにしたりすることもできる。
【００４４】
以上のように、本願発明の一実施形態によれば、複数のサポートアセンブリを一本のシャフトにより、サポートレールに容易に接続することができるなどの効果を得ることができる。
【符号の説明】
【００４５】
９２０  サポートレール、３ａ  リブ、３ｂ  リブ、４ａ  脚部、４ｂ  脚部、２１  シャフト、２１０  サポート、２４０  レペティションレバー
【図１Ａ】
0006520284.tif 000002
【図１Ｂ】
0006520284.tif 000003
【図２】
0006520284.tif 000004
【図３】
0006520284.tif 000005
【図４】
0006520284.tif 000006
【図５】
0006520284.tif 000007
【図６】
0006520284.tif 000008